(57)【要約】      （修正有）【課題】被験者が呼吸するとき、呼気においても吸気においても被験者の気道をサポートするように構成される呼吸機器を提供する。【解決手段】被験者１２が呼吸するとき被験者１２の気道をサポートする呼吸機器１０であって、被験者１２の一つ以上の外口を囲むボディ１４は、吸入されるガスの流れと呼気されるガスの流れとの間の異なる抵抗を供給するように構成されることによって被験者の気道をサポートする。【選択図】図１
2015062727.tif 000002
【特許請求の範囲】
【請求項１】
被験者の気道の一つ以上の外口を囲むボディであって、前記ボディは、被験者の気道の一つ以上の外口と外気との間の複数の流路を形成し、前記複数の流路は前記複数の流路の全てではないが一つ以上の流路を作る流路の第１のサブセットを有する、前記ボディと、
流路の第１のサブセット内に配置される一つ以上の吸入バルブのセットであって、前記一つ以上の吸入バルブは、流路の第１のサブセット内で外気から被験者の気道の一つ以上の外口へ比較的自由にガスを流すことを可能にし、前記一つ以上の吸入バルブは、流路の第１のサブセット内で被験者の気道の一つ以上の外口から外気へのガスの流れを著しく抵抗させるか又は封止し、外気から被験者の気道の一つ以上の外口へ通るガスのため前記ボディにより形成される複数の流路内のガスの流れに対する累積的な抵抗が、被験者が前記ボディを通って自由に吸入できるほど充分に低く、被験者の気道の一つ以上の外口から外気へ通るガスのため前記ボディにより形成される複数の流路内のガスの流れに対する累積的な抵抗が、前記ボディを通る被験者による呼気が、呼気の間、気道をサポートする被験者の気道内に圧力を作るほど充分に高い、前記一つ以上の吸入バルブのセットと、
回路ポートを通って前記ボディへ呼吸可能なガスの圧力がかかった流れを送る回路と前記ボディの内部とを接続するために前記ボディ内に形成される当該回路ポートとを有する、被験者が呼吸するとき被験者の気道をサポートする呼吸機器。
【請求項２】
前記回路ポートに接続する前記回路から前記ボディへのガスの流れに対する前記回路ポートの抵抗を制御する、前記回路ポートに配置された回路バルブを更に有する、請求項１に記載の呼吸機器。
【請求項３】
被験者の気道の安定性に関係した情報を運ぶ一つ以上の出力信号を生成する一つ以上のセンサと、前記一つ以上のセンサにより生成される前記一つ以上の出力信号に基づいて、前記回路ポートに接続する前記回路からの前記ボディへのガスの流れに対する前記回路バルブの前記抵抗を制御するプロセッサとを更に有する、請求項１に記載の呼吸機器。
【請求項４】
前記ボディにより形成される流路の第２のサブセット内に配置される一つ以上の呼気バルブのセットを更に有し、前記一つ以上の呼気バルブは、被験者の気道の前記一つ以上の外口から流路の第２のサブセットを通って外気へのガスの流れを可能にし、流路の第２のサブセットは、流路の第１のサブセット内に含まれていない前記ボディにより形成される複数の流路の一つ以上の流路で作られる、請求項１に記載の呼吸機器。
【請求項５】
前記回路ポートは、前記回路を前記ボディの内部と選択的に接続させるため前記回路と着脱可能にインタフェースする、請求項１に記載の呼吸機器。
【請求項６】
被験者の気道の一つ以上の外口が被験者の鼻孔を有し、前記呼吸機器は、更に、呼吸可能なガスの圧力がかかった流れを被験者の他方の鼻孔に達しないように封止する一方、前記回路ポートから被験者の一方の鼻孔へ呼吸可能なガスの圧力がかかった流れを向けさせる前記ボディ内に配置された内部障壁を有する、請求項１に記載の呼吸機器。
【発明の詳細な説明】
【技術分野】
【０００１】
この特許出願は、２００８年１２月３０日に出願された仮出願番号第６１／１４１，２５２号について、米国３５ＵＳＣ１１９（ｅ）の下、優先権の利益を享受し、その内容が参照によりここに組み込まれる。
【０００２】
この出願は、２００８年１２月３０日に出願の米国特許出願第６１／１４１，２７０号、２００８年１２月３０日に出願の米国特許出願第６１／１４１，２５０号及び２００８年１２月３０日に出願の米国特許出願第６１／１４１，２５１号に関係し、これらは完全にこの出願に組み込まれる。
【０００３】
本発明は、被験者が呼吸するとき被験者の気道をサポートすることに関する。
【背景技術】
【０００４】
睡眠障害の呼吸で苦しむ患者は、とりわけ連続陽性気道圧、比例陽性気道圧及び比例支援ベンチレーションのようなベンチレーションの所定のモードに従って呼吸ガスの圧力がかかった流れを供給する陽性気道圧（ＰＡＰ）装置で、通常治療される。圧力がかかったガスは、睡眠障害の呼吸と関連する呼吸の停止の発現が低減されるか又は回避されるように、患者が眠るとき患者の気道をサポートする。ＰＡＰ装置は、患者に不快であろう。これは、治療についての患者の遵守を低減させ、幾人かの患者が概して治療を中止するまでに至らせる。
【発明の概要】
【発明が解決しようとする課題】
【０００５】
睡眠障害の呼吸のための他の治療は、患者からの呼気の流れに抵抗する気道抵抗を使用し、これによって、呼気の間、気道をサポートしていた。しかしながら、従来の気道抵抗は、治療の間、気道内に配置されるので、幾らかの患者にとって不快であり、幾らか非衛生的である。例えば、患者の鼻孔内での従来の気道抵抗の処置は、鼻孔の内部断面積も減らし、このことは抵抗により供給される治療に悪影響を与えるかもしれない。更に、気道抵抗は、患者の気道から除去されるか、又は適所に抵抗を保持するために、（例えば、鼻孔周辺に）接着剤を付ける。場合によっては、従来の気道抵抗は、不快であると幾人かの患者により思われ、幾人かの患者に適切なサポートを提供しない。例えば、吸入の間、従来の気道抵抗は、完全にサポートされないように気道から離すか、又は吸入されたガスの流れに対する幾らかの抵抗のため圧力を低減さえする。
【課題を解決するための手段】
【０００６】
本発明の一つの態様は、被験者が呼吸するとき、被験者の気道をサポートするように構成される呼吸機器に関係する。一つの実施例では、呼吸機器は、ボディと一つ以上の吸入バルブのセットとを有する。ボディは、被験者の気道の一つ以上の外口を囲むように構成される。ボディは、被験者の気道の一つ以上の外口と外気との間に複数の流路を形成し、当該複数の流路が複数の流路の全てではないが一つ以上の流路で作られた流路の第１のサブセットを有する。一つ以上の吸入バルブのセットが、流路の第１のサブセットに配置され、流路の第１のサブセット内で被験者の気道の一つ以上の外口へ、ガスが外気から比較的自由に流れることを可能にする。一つ以上の吸入バルブは、流路の第１のサブセット内で被験者の気道の一つ以上の外口から外気へのガスの流れに著しく抵抗するか又は封止する。外気から被験者の気道の一つ以上の外口へ通るガスのためボディにより形成される複数の流路内のガスの流れに対する累積的な抵抗は、被験者がボディを通って自由に吸入できるほど充分に低く、被験者の気道の一つ以上の外口から外気へ通るガスのためボディにより形成される複数の流路内のガスの流れに対する累積的な抵抗は、被験者によるボディを通る呼気が、呼気の間気道をサポートする圧力を被験者の気道内に作るのに充分高い。
【０００７】
本発明の別の態様は、被験者が呼吸するとき被験者の気道をサポートする方法に関する。一つの実施例では、当該方法は、気道の一つ以上の外口と外気との間に複数の流路を形成するボディで被験者の気道の一つ以上の外口を囲むステップであって、複数の流路が複数の流路の全てではないが一つ以上の流路で作られる流路の第１のサブセットを有する当該ステップと、吸入の間、外気から気道の一つ以上の外口へボディを通るガスの流れのため複数の流路内のガスの流れに対する第１の累積的な抵抗を供給するステップであって、第１の累積的な抵抗は、ガスが実質的に妨げられずに気道の一つ以上の外口へ外気から吸入される程充分に低い当該ステップと、呼気の間、ボディにより形成される複数の流路の他の流路を通るガスの流れを実質的に制限することなく、流路の第１のサブセットを通るガスの流れを制限することにより、気道の一つ以上の外口から外気へボディを通るガスの流れに対する第２の累積的な抵抗を供給するステップであって、第２の累積的な抵抗は、高い圧力が被験者の気道をサポートするように、ボディを通って呼気されるガスが被験者の気道内の圧力を上昇させるのに充分高い当該ステップとを有する。
【０００８】
本発明の別の態様は、被験者が呼吸するとき被験者の気道をサポートするように構成されるシステムに関係する。一つの実施例では、当該システムは、気道の一つ以上の外口と外気との間に複数の流路を形成するボディで被験者の気道の一つ以上の外口を囲むための手段であって、複数の流路が複数の流路の全てではないが一つ以上の流路で作られる流路の第１のサブセットを有する当該手段と、吸入の間、外気から気道の一つ以上の外口へボディを通るガスの流れのため複数の流路内のガスの流れに対する第１の累積的な抵抗を供給するための手段であって、第１の累積的な抵抗は、ガスが実質的に妨げられずに気道の一つ以上の外口へ外気から吸入されるのに充分に低い当該手段と、呼気の間、ボディにより形成される複数の流路の他の流路を通るガスの流れを実質的に制限することなく、流路の第１のサブセットを通るガスの流れを制限することにより、気道の一つ以上の外口から外気へボディを通るガスの流れに対する第２の累積的な抵抗を供給するための手段であって、第２の累積的な抵抗は、高い圧力が被験者の気道をサポートするように、ボディを通って呼気されるガスが被験者の気道内で圧力を上昇させるのに充分高い当該手段とを有する。
【０００９】
本発明の他の観点は、被験者が呼吸するとき被験者の気道をサポートするように構成される呼吸機器に関係する。一つの実施例では、呼吸機器は、ボディ、一つ以上のバルブ及びプロセッサを有する。ボディは、被験者の気道の一つ以上の外口を囲むように構成される。一つ以上のバルブがボディ内に配置され、ボディの内部からボディの外部へのガスの流れに対する制御可能な抵抗を供給するように構成される。プロセッサは、ボディの内部からボディの外部へのガスの流れに対する一つ以上のバルブの抵抗を制御するように構成される。
【００１０】
本発明の他の観点は、被験者が呼吸するとき、被験者の気道をサポートする方法に関係する。一つの実施例では、当該方法は、被験者の気道の一つ以上の外口を囲むステップと、一つ以上の流路のガスの流れに対する抵抗を制御するステップとを有し、前記一つ以上の流路を通るガスが、被験者の気道の囲まれた一つ以上の外口から外気へ通気される。
【００１１】
本発明の他の観点は、被験者が呼吸するとき、被験者の気道をサポートするように構成される呼吸機器に関係する。一つの実施例では、当該呼吸機器は、被験者の気道の一つ以上の外口を囲むための手段と、一つ以上の流路のガスの流れに対する抵抗を制御するための手段とを有し、前記一つ以上の流路を通るガスが、被験者の気道の囲まれた一つ以上外口から外気へ通気される。
【００１２】
本発明の他の観点は、被験者が呼吸するとき被験者の気道をサポートするように構成されるシステムに関係する。一つの実施例では、当該システムは、呼吸機器、圧力生成器及び回路を有する。呼吸機器は、外気と被験者の気道の一つ以上の外口との間のガスの流れを制御するように構成される。呼吸機器は、外気から呼吸機器を通って被験者の気道を通るガスのためのガスの流れに対する第１の抵抗と、被験者の気道から呼吸機器を通って外気へ流れるガスのためのガスの流れに対する第２の抵抗とを持つ。第１の抵抗は、吸入の間、ガスが、実質的に妨げられずに外気から呼吸機器を通って被験者の気道を通るように、第２の抵抗より著しく低く、呼気の間、被験者の気道から外気へ流れるガスに対する呼吸機器の第２の抵抗は、上昇した圧力が被験者の気道をサポートするように、被験者の気道内で圧力を上昇させる。圧力生成器は、呼吸可能なガスの圧力がかかった流れを生成するように構成される。回路は、呼吸機器を介して圧力生成器から被験者の気道へ呼吸可能なガスの圧力がかかった流れを送る圧力生成器と呼吸機器との間にガス流路を形成する。
【００１３】
本発明の他の観点は、被験者が呼吸するとき、被験者の気道をサポートする方法に関係する。一つの実施例では、当該方法は、被験者の吸入の間、外気から被験者の気道の一つ以上の外口へ通るガスのためのガスの流れに対する第１の抵抗を供給するステップと、被験者の呼気の間、被験者の気道の一つ以上の外口から外気へ流れるガスのためのガスの流れに対する第２の抵抗を供給するステップであって、第１の抵抗は、吸入の間、ガスが、実質的に妨げられずに外気から呼吸機器を通って被験者の気道を通るように、第２の抵抗より著しく低く、呼気の間、被験者の気道から外気へ流れるガスに対する呼吸機器の第２の抵抗は、上昇した圧力が被験者の気道をサポートするように、被験者の気道内で圧力を上昇させる当該ステップと、呼吸可能なガスの圧力がかかった流れを生成するステップと、被験者が呼吸するとき、呼吸可能なガスの圧力がかかった流れを被験者の気道の一つ以上の外口に送るステップとを有する。
【００１４】
本発明の他の観点は、被験者が呼吸するとき被験者の気道をサポートするように設定されるシステムに関係する。一つの実施例では、当該システムは、被験者の吸入の間、外気から被験者の気道の一つ以上の外口へ通るガスのためのガスの流れに対する第１の抵抗を供給するための手段と、被験者の呼気の間、被験者の気道の一つ以上の外口から外気へ流れるガスのためのガスの流れに対する第２の抵抗を供給するための手段であって、第１の抵抗は、吸入の間、ガスが、実質的に妨げられずに外気から呼吸機器を通って被験者の気道を通るように、第２の抵抗より著しく低く、呼気の間、被験者の気道から外気へ流れるガスに対する呼吸機器の第２の抵抗は、上昇した圧力が被験者の気道をサポートするように、被験者の気道内で圧力を上昇させる当該手段と、呼吸可能なガスの圧力がかかった流れを生成するための手段と、被験者が呼吸するとき、呼吸可能なガスの圧力がかかった流れを被験者の気道の一つ以上の外口に送るための手段とを有する。
【００１５】
本発明の他の観点は、被験者が呼吸するとき被験者の気道をサポートするように構成される呼吸機器に関係する。一つの実施例では、呼吸機器は、ボディ、一つ以上の吸入バルブのセット及び回路ポートを有する。ボディは、被験者の気道の一つ以上の外口を囲むように構成され、被験者の気道の一つ以上の外口と外気との間に複数の流路を形成する。複数の流路は、複数の流路の全てではないが一つ以上の経路で作られた流路の第１のサブセットを有する。一つ以上の吸入バルブのセットは、流路の第１のサブセットに配置され、外気から流路の第１のサブセット内の被験者の気道の一つ以上の外口へと比較的自由にガスが流れることを可能にする。一つ以上の吸入バルブは、被験者の気道の一つ以上の外口から流路の第１のサブセット内で外気へのガスの流れに対して著しく抵抗するか、又はガスの流れを封止する。外気から被験者の気道の一つ以上の外口を通るガスのためボディにより形成される複数の流路内のガスの流れに対する累積的な抵抗は、被験者がボディを通じて自由に吸入できるのに充分低く、被験者の気道の一つ以上の外口から外気へ流れるガスのためボディにより形成される複数の流路内のガスの流れに対する累積的な抵抗は、ボディを通る被験者による呼気が、呼気の間、気道をサポートする被験者の気道の圧力を作るのに充分高い。回路ポートはボディ内に形成され、呼吸可能なガスの圧力がかかった流れを、回路ポートを通じてボディに送る回路とボディの内部とを接続するように構成される。
【００１６】
本発明の他の観点は、被験者が呼吸するとき、被験者の気道をサポートする方法に関係する。一つの実施例では、当該方法は、被験者の吸入の間、外気から被験者の気道の一つ以上の外口へ通るガスのためのガスの流れに対する第１の抵抗を供給するステップと、被験者の呼気の間、被験者の気道の一つ以上の外口から外気へ流れるガスのためのガスの流れに対する第２の抵抗を供給するステップであって、第１の抵抗は、吸入の間、ガスが、実質的に妨げられずに外気から呼吸機器を通って被験者の気道を通るように、第２の抵抗より著しく低く、呼気の間、被験者の気道から外気へ流れるガスに対する呼吸機器の第２の抵抗は、上昇した圧力が被験者の気道をサポートするように、被験者の気道内で圧力を上昇させる当該ステップと、呼吸可能なガスの圧力がかかった流れを受けるステップと、被験者が呼吸するとき、被験者の気道の一つ以上の外口へ、呼吸可能なガスの圧力がかかった流れを導くステップとを有する。
【００１７】
本発明の他の観点は、被験者が呼吸するとき、被験者の気道をサポートするように構成される呼吸機器に関する。一つの実施例では、当該呼吸機器は、被験者の吸入の間、外気から被験者の気道の一つ以上の外口へ通るガスのためのガスの流れに対する第１の抵抗を供給するための手段と、被験者の呼気の間、被験者の気道の一つ以上の外口から外気へ流れるガスのためのガスの流れに対する第２の抵抗を供給するための手段であって、第１の抵抗は、吸入の間、ガスが、実質的に妨げられずに外気から呼吸機器を通って被験者の気道を通るように、第２の抵抗より著しく低く、呼気の間、被験者の気道から外気へ流れるガスに対する呼吸機器の第２の抵抗は、上昇した圧力が被験者の気道をサポートするように、被験者の気道内で圧力を上昇させる当該手段と、呼吸可能なガスの圧力がかかった流れを受けるための手段と、被験者が呼吸するとき、被験者の気道の一つ以上の外口へ、呼吸可能なガスの圧力がかかった流れを導くための手段とを有する。
【００１８】
本発明のこれら及び他の目的、特徴及び特性だけでなく、構成の関連要素の動作及び機能の方法、パーツの組み合わせ並びに製造の経済性は、全てがこの明細書の一部を形成し、類似の参照符号が様々な図の対応するパーツを示す添付の図面を参照して以下の説明及び添付の請求項を考慮してより明らかになるであろう。本発明の一つの実施例では、本願で例示される構成上の部品は、一定の比率で描かれている。しかしながら、図面は、図例及び説明のためだけであって、本発明を限定するものではないことは、明確に理解されるべきである。加えて、本願に任意の実施例で示されたり又は説明される構成上の特徴は他の実施例でも使用できることは、理解されるべきである。明細書及び請求項で用いられているように、「ａ」、「ａｎ」及び「ｔｈｅ」の単数形式は、文章で特に示されていない場合は、複数のものを含む。
【図面の簡単な説明】
【００１９】
【図１】図１は、本発明の一つ以上の実施例による被験者の気道をサポートするように構成される呼吸機器を示す。
【図２】図２は、本発明の一つ以上の実施例による被験者の気道をサポートするように構成される呼吸機器を示す。
【図３】図３は、本発明の一つ以上の実施例による被験者の気道をサポートするように構成される呼吸機器を示す。
【図４】図４は、本発明の一つ以上の実施例による被験者の気道をサポートするように構成されるシステムを示す。
【図５】図５は、本発明の一つ以上の実施例による被験者の気道をサポートするように構成されるシステムを示す。
【図６】図６は、本発明の一つ以上の実施例による被験者の気道をサポートするように構成されるシステムを示す。
【図７】図７は、本発明の一つ以上の実施例による被験者の気道をサポートするように構成されるシステムを示す。
【図８】図８は、本発明の一つ以上の実施例による被験者の気道をサポートする方法を示す。
【図９】図９は、本発明の一つ以上の実施例による被験者の気道をサポートする方法を示す。
【図１０】図１０は、本発明の一つ以上の実施例による被験者の気道をサポートする方法を示す。
【発明を実施するための形態】
【００２０】
図１は、本発明の一つ以上の実施例による被験者１２が呼吸をするとき被験者１２の気道をサポートするように構成される呼吸機器１０を示す。呼吸機器１０は、サポート目的のため被験者１２の気道に加圧するために被験者１２の呼気により生成されるガスの圧力がかかった流れに影響を及ぼす。一つの実施例では、呼吸機器１０は、被験者１２及び締着具１６の気道の一つ以上の外口（例えば、鼻孔）を囲むボディ１４を含む。
【００２１】
締着具１６は、被験者１２の気道の一つ以上の外口の上にボディ１４を適所に保持する。図１に示される実施例では、締着具１６は、被験者１２のヘッドに巻きついている単一のストラップである。一つの実施例では、締着具１６は、適所にボディ１４を保持するために締着具１６のヘッドを係合させるための異なる構成を持つヘッドギアを含む。一つの実施例では、締着具１６は、被験者１２の気道の一つ以上の開口部の内部と係合する構造体及び／又は適所にボディ１４を保持するために被験者１２の皮膜に取付ける接着剤を含む。幾つかの例（図示せず）では、呼吸機器１０は、（例えば、前方へ伸ばされた下位顎で）被験者１２の気道を開く位置で被験者１２の下位顎を保持する、及び／又は鼻孔を通る呼吸を促すために被験者１２の口を閉状態に保持する口の機器及び／又はヘッドギアと一体的に形成及び／又は実行される。
【００２２】
図２は、この開示の一つ以上の実施例によるボディ１４の拡大図を示す。図２で分かるように、ボディ１４は、その間に流路を備える複数の開口部を形成する。一つの実施例では、ボディ１４の内部は、様々な開口部の何れかから他の様々な開口部の何れかへのガスの流れにとって大幅な障害なしに、窪んでいる。複数の開口部は、一つ以上の被験者インタフェース開口部１８、吸入ポート２０のセット及び呼気ポート２２のセットを含む。被験者インタフェース開口部１８は、被験者１２の気道と、ボディ１４内部も形成される流路内のガスを通気させる。後述されるように、ボディ１４は、吸入の間、外気から被験者１２の気道の一つ以上の外口へガスを送る被験者インタフェース開口部１８と吸入ポート２０との間の流路の第１のサブセットを形成する。ボディ１４は、呼気の間、被験者１２の一つ以上の外口から外気へガスを送る被験者インタフェース開口部１８と呼気ポート２２との間の流路の第２のサブセットを形成する。
【００２３】
一つの実施例では、被験者インタフェース開口部１８は、気道囲み部材２４により形成される。図２は、気道囲み部材２４を被験者１２の鼻孔を囲む鼻枕として示している。気道囲み部材２４は、ボディ１４の残りから選択的に着脱可能である。これは、衛生的な目的のため気道囲み部材２４の清掃及び／又は置換、及び／又は個人の好みに基づく（例えば、異なるサイズを持つ部材、異なる大きさの開口部等から）被験者１２による気道囲み部材２４の選択を容易にする。
【００２４】
吸入ポート２０のセットで、呼吸機器１０は、吸入バルブ２６のセットを含む。吸入バルブ２６は、吸入ポート２０を通ってボディ１４内で形成される流路へガスが比較的自由に外気から流れることを許容するが、吸入ポート２０を通って外気へのボディ１４内からのガスの流れに対して著しく抵抗するか又は封止可能にする。例えば、吸入バルブ２６は、外気からボディ１４にガスが自由に流れることを許容するが、外気へ流れるボディ１４内からのガスをブロックする「一方通行」バルブである。このように、吸入の間、被験者インタフェース開口部１８と吸入ポート２０との間のボディ内で形成される流路は、吸入ポート２０から被験者インタフェース開口部１８へ、そして被験者１２の鼻孔へガスを自由に吸い込み可能にする。しかしながら、呼気の間、吸入バルブ２６は、被験者インタフェース開口部１８から吸入ポート２０へボディ１４内で形成される流路の第１のサブセットを通る外気への被験者１２の鼻孔からの呼気されるガスの流れに著しく抵抗するか又は封止する。一つの実施例では、吸入バルブ２６は、ボディ１４の残りから選択的に着脱可能である。これはバルブ２６及び／又はボディ１４の清掃を容易にして、衛生的な目的のために、又は吸入バルブ２６の一つが正しく機能するのを止める場合、バルブ２６を交換可能にする。
【００２５】
本願で用いられるように、吸入ポート２０を通って外気から「自由に」流れるガスとは、このガスの吸入が呼吸機器１０なしの吸入として被験者の側でのほぼ同一量の労力を必要とするような比較的小さな量の抵抗を経験するガスの流れを指す。例えば、一つの実施例では、外気からボディ１４に流れるガスに対する吸入バルブ２６の抵抗は、ボディ１４を通って被験者１２により吸入されるガスに対する呼吸機器１０の累積的な抵抗が、約０．０２５ｃｍＨ２Ｏ／ＬＰＭ（３０ＬＰＭの流れで）以下であるほど充分小さい。一つの実施例では、外気からボディ１４へ流れるガスに対する吸入バルブ２６の抵抗は、ボディ１４を通って被験者１２により吸入されるガスに対する呼吸機器１０の累積的な抵抗が、約０．０１７ｃｍＨ２Ｏ／ＬＰＭ（３０ＬＰＭの流れで）以下であるほど充分小さい。累積的な抵抗は、呼吸機器１０の開口部の第１のセットへ流れ、呼吸機器１０を通って流れ、呼吸機器１０の開口部の第２のセットを介した呼吸機器の外へ流れるガスのボリュームに対する呼吸機器１０の全体的抵抗である。
【００２６】
呼気ポート２２のセットで、呼吸機器１０は、呼気バルブ２８のセットを含む。呼気バルブ２８は、被験者インタフェース開口部１８と呼気ポート２２との間でボディ１４内部に形成される流路の第２のサブセット内の外気と被験者１２の鼻孔との間のガスの流れを制御する。特に、呼気バルブ２８は、呼気の間、被験者１２の鼻孔から外気へのガスの流れに対する流路の第２のサブセット内での抵抗を供給する。呼気されたガスのこれらの流れに対する呼気バルブ２８により供給される抵抗は、被験者１２の鼻孔から呼気されるガスに対する呼吸機器１０の累積的な抵抗の主要な源である。実際、吸入バルブ２６がボディ１４内から外気へのガスの流れに抗して吸入ポート２０を封止する場合、被験者１２の鼻孔を通って外気へ呼気されるガスの流れに対する呼気バルブ２８の累積的な抵抗は、被験者１２の鼻孔から呼気されるガスに対する呼吸機器の累積的な抵抗である。ボディ１４を通る被験者１２による呼気が、呼気の間、気道をサポートする被験者１２の気道内に圧力を作るほど、ボディ１４を通って外気への呼気されるガスの流れに対する累積的な抵抗が充分に高いように、呼気バルブ２８は設定される。非限定的な例では、被験者１２の気道内の圧力は、ピークの呼気圧で（例えば、３０ＬＰＭの流れで）、１０ｃｍＨ２Ｏ以上である。一つの実施例では、被験者１２の気道内の呼吸機器１０により作られる圧力は、少なくとも１．０ｃｍＨ２Ｏ（例えば、２０ＬＰＭの流れで）を供給する。
【００２７】
一つの実施例では、呼気バルブ２８は、吸入の間、外気からボディ１４を通って被験者１２の鼻孔へと流れるガスに対する抵抗が、呼気の間、被験者１２の鼻孔から外気へと流れるガスに対する抵抗とは異なる抵抗を持つ（例えば、呼気バルブ２８は、吸入の間、「閉じる」）。一つの実施例では、呼気バルブ２８は固定抵抗を持ち、ガスが流れる方向に関係なく、ガスの流れに対する同じ抵抗を持つ。これらの実施例の何れでも、吸入の間、外気からのガスのためのボディ１４への主要な吸気口は、吸入ポート２０で吸入バルブ２６を通るガスの流れであろう。よって、外気からボディ１４を通って被験者１２の鼻孔への吸入されたガスの流れに対する累積的な抵抗は、被験者１２が自由にボディ１４を通って吸入できるほど、吸入ポート２０のおかげで充分に低い。
【００２８】
前述したように、ボディ１４を通って被験者１２による呼気の間、吸入バルブ２６は、ボディ１４から外気へのガスの流れを阻止する。この遮断は、実質的に封止吸入ポート２０により及び／又は吸入ポート２０を通ってガスの流れを著しく制限することにより実現されてもよい。例として、一つの実施例では、吸入バルブ２６は、吸入ポート２０を実質的に封止する（例えば、約２．５ＬＰＭ以下（５ｃｍＨ２Ｏ圧で）のガスが吸入ポート２０から流れ出ることを許容するための抵抗を供給する）。他の例として、一つの実施例では、吸入バルブ２６は、呼気の間、ボディ１２から出るガスの流れに対する抵抗を供給し、当該抵抗は、呼気バルブ２８の抵抗が、被験者１２の気道から外気へ流れる呼気されたガスに対するボディ１４の累積的な抵抗を制御して、ボディ１４内部から外気へのガスの流れに呼気バルブ２８と比較して、充分に低い。例えば、ボディ１４から外気へと流れる呼気されたガスに対する吸入バルブ２６の抵抗は、ボディ１４から外気へと流れる呼気されたガスに対する呼気バルブ２８の抵抗より約５倍より大きい。一つの実施例では、ボディ１４から外気へと流れる呼気されたガスに対する吸入バルブ２６の抵抗は、ボディ１４から外気へと流れる呼気されたガスに対する呼気バルブ２８の抵抗より約２．５倍より大きい。
【００２９】
一つの実施例では、被験者１２の鼻孔から外気へのガスの流れに対する呼気バルブ２８の抵抗は、呼気の間、被験者インタフェース開口部１８から外気へボディ１４を通って流れるガスに対する呼吸機器１０の累積的な抵抗を調整するように設定できる。呼気バルブ２８の抵抗を設定するために、バルブ２８は、一つ以上のコントロールと関連し、当該コントロールを通じて、被験者１２又は自動化された制御メカニズムが操作できるか、又は一つ以上の呼気バルブ２８は、所望の抵抗を持つバルブによる置換のため呼気ポート２２から選択的に着脱可能である固定抵抗バルブを含んでもよい。一つの実施例では、呼気バルブ２８の選択可能な分離は、摺り減らされたバルブの置換及び／又は機器１０の清掃を容易にする。呼気バルブ２８の抵抗の調整は、直径、断面サイズ及び／又は呼気バルブ２８と関連したボディ１４の一つ以上の開口部の領域に対する調整を含む。
【００３０】
一つの実施例では、呼気ポート２２は、別々の呼気バルブ２８を含まずに、呼気されたガスに対する適当な累積的な抵抗を具備する。例えば、ボディ１４内の流路に、呼気されたガスに対する適当な累積的な抵抗を供給するレベルで、呼気されたガスの流れに抵抗する形状及び／又はサイズを持つ、呼気ポート２２でのボディ１４内の開口部が形成されてもよい。一つの実施例では、ポート２２は、図２に図示されるようにボディ１４から突出していないが、代わりに、ボディ１４の外面と同じ高さで形成されるか又は外面上に分配されてもよい。
【００３１】
ボディを通る自由な吸入を可能にする吸入ポート２０と、呼気の間、治療上の抵抗を供給する呼気ポート２２との供給は、単一のポート又はポートのセットが同じ流路を通る呼気の間、自由な吸入及び治療上の抵抗両方を可能にするバルブを具備するシステム上で幾つかの増強を供給する。例えば、別々の吸入ポート２０及び呼気ポート２２を実行することにより、呼吸機器１０は、呼気バルブ２８用の固定抵抗を使用して形成でき、これは、各開口部が自由な吸入及び治療上の呼気抵抗を供給しなければならない機器において実行されなければならないバルブのタイプより（パーツに対して及び／又は機器のアセンブリの間において）単純で、より信頼性が高く、コストが低い。同様に、別々に形成された吸入バルブ２６及び呼気バルブ２８の相対的な簡明化のため、呼吸機器１０の形状要因が強調されてもよい。例えば、バルブ２６、２８及び／又は機器１０は、（図１及び図２の鼻枕構成で示されるように）被験者１２の鼻孔外に一般に配置される。バルブ２６及び２８が被験者１２の鼻孔外で形成される実施例では、バルブの一部又は全部は、鼻孔の開口部より大きい横断面を持ち、これによって、バルブ２６の吸入抵抗を低減可能にする。吸入バルブ２６とは別々のパーツの呼気バルブ２８の実行により供給される他の強調は、呼気バルブ２８の抵抗が吸入バルブ２６の機能又は保全性を妨げることなく（例えば、置換により）設定可能に作られるということである。
【００３２】
鼻循環は、鼻生理学の分野で働いている研究者に知られている現象である。The  Physiologist（１９７９年６月；２２（３）：４３―４９）において、ハミルトンにより以下のように述べられている：「鼻循環は、全Ｒｎ（鼻抵抗）については、ほとんど又は全く変化なく、左側と右側との間でのＲｎ（鼻抵抗）についての相互変化から成る。同じ個人について測定されたにせよ、又は母集団で測定されたにせよ、相互変化は、時間のほぼ８０％で観察され、よって現実には断続的である。相互変化が発生するとき、相互変化は、１／２時間から４時間まで変化する、より一般的に２から３と１／２時間変化するサイクル期間を持つ。」被験者１２の右側及び左側の鼻孔を通って外気への空気経路は、並列回路構成を形成する。従って、正味の鼻抵抗は、個々の抵抗の逆数の和の逆数である。従来の気道抵抗は、左側及び右側の鼻抵抗それぞれと組み合わされるとき、個人の左側及び右側の直列回路を形成する。従来の抵抗によりこれら別々の回路に加えられる追加の抵抗は、鼻循環の平衡を失わせる。これは、鼻循環の特定の期間での増大された又は低減された全体的鼻抵抗を生じて、これは患者に不快であり、治療上の効力に影響を及ぼし、又は睡眠の間、覚醒を引き起こすことさえあり得る。
【００３３】
対照的に、図１及び図２に図示される（被験者１２の鼻孔を離隔する内部バリアをボディ１４内に持たない）機器１０の実施例は、左側及び右側の鼻孔抵抗に個別に影響を及ぼさない。このように、回路の並列成分（逆数の和の逆数）が機器１０の追加の抵抗の前にあり、数学的に独立しているので、左側及び右側の鼻抵抗の自然の平衡が影響を受けない。
【００３４】
図３は、ボディ１４が被験者の気道の一つ以上の外口（例えば、鼻孔、鼻孔及び口等）をカバーするマスクとして形成される呼吸機器１０の実施例を示す。図３に示される実施例では、ボディ１４は、囲まれる被験者の気道の一つ以上の外口の外部を囲む膜である。更に、ボディ１４の膜は、被験者の気道の一つ以上の外口と外気との間に複数の流路を形成する。これらの流路は、吸入ポート２０により形成されるボディ１４を通る流路と、呼気ポート２２により形成されるボディ１４を通る流路とを含む。
【００３５】
吸入バルブ２６は、吸入ポート２０内に配置され、外気からのガスが比較的自由にボディ１４を通って被験者により吸入可能にする。呼気バルブ２８は、呼気ポート２２内に配置され、ボディ１４により囲まれる被験者の気道の一つ以上の外口からのガスの呼気が、呼気の間、被験者の気道内の圧力が被験者の気道をサポートするレベルまで上昇させるように、ボディ１４内から外気へのガスの流れを制限する。図１及び図２に図示される実施例に関して上述されたように、図３に図示される呼吸機器１０の実施例は、吸入バルブ２６及び／又は呼気バルブ２８の一方または両方を吸入ポート２０又は呼気ポート２８それぞれから取り外し可能にする。更に、一つの実施例では、呼気ポート２２のガスの流れに対する抵抗は、操作的な制御により及び／又は呼気バルブ２６を異なる抵抗を持つ他のバルブと交換することにより設定可能である。ボディ１４が全ての気道開口部をカバーする実施例（例えば、図３に図示される実施例）では、吸入ポート２０の一方又は両方が、バックアップ目的のために複製されてもよい。
【００３６】
図１及び図２に示される鼻枕構成よりもむしろ、（例えば、図３に図示されるように）マスクのようなボディ１４の形成が、付加的な外口を介して供給されるサポートのため（例えば、ここでマスクが鼻孔だけでなく口をカバーする）、及び／又は他の理由のため、感知される快適さのために幾人かの被験者により好まれる。図３に示される呼吸機器１０の実施例の動作のメカニズムは、呼気の間、被験者の気道内の圧力を上昇させる図１及び図２に図示される実施例と同一であることが明らかである。呼吸機器１０が図１及び図２の鼻枕構成を実行する実施例に関する呼吸機器１０の他の態様が後述されるが、これに限定することを目的としていないし、これらの説明は当業者により図３のマスクまで拡張できる。
【００３７】
一つの実施例では、マスクは、顔面に対して囲まれている内側ボリュームのデッドスペースを最小化するようにデザインされている。鼻開口部のためのインタフェース室は、圧力障壁又は一方通行バルブにより口のインタフェースから離隔されてもよい。室を離隔することは、圧力封止構造を強化して、及び／又は、被験者が鼻呼吸しているとき、余分な口のデッドスペースで呼気されたガスを再呼吸する苦痛を回避する。
【００３８】
一つの実施例では、被験者の鼻橋に位置するボディ１４の部分が、被験者の皮膚との安全な封止を形成するように構成されてもよい。例えば、ボディ１４のこの区域は、被験者に接着するための接着剤（例えば、ヒドロゲル等）を含む。幾つかの例では、ボディのこの区域は、ボディ１４と鼻橋との間の接着力によって、被験者の鼻腔を開いたままにする比較的弾力のある材料から形成される。
【００３９】
図４は、この開示の一つの実施例による呼吸機器１０のブロック図である。図４に示される図において、ボディ１４、吸入ポート２０、呼気ポート２２、吸入バルブ２６及び呼気バルブ２８に加えて、呼吸機器１０は、一つ以上のセンサ３０、ユーザインタフェース３１及びプロセッサ３２を含む。
【００４０】
センサ３０は、（例えば、図１に示され上述のように）呼吸機器１０が取り付けられる被験者の気道の安定性に関係する情報を伝達する一つ以上の出力信号を生成するように構成される。一つの実施例では、センサ３０は、ボディ１０上に担持される。非限定的な例として、センサ３０は、被験者の気道で、又はその近くで（例えば、ボディ１４内で）のガスの一つ以上のパラメータを監視する。一つ以上のパラメータは、一つ以上の流れ、圧力及び／又は他のパラメータを含む。一つの実施例では、センサ３０は、振動を電気的出力信号へ変換するトランスデューサを含む。トランスデューサにより生成される出力信号は、（例えば、「いびきをかいている」）被験者の気道の不安定性により生成される音波の振動、気道不安定性により生じる被験者の気道の周りの組織の振動及び／又は気道不安定性を示す他の振動を変換する。一つの実施例では、センサ３０は、ボディ１０上に担持されていない。例えば、センサ３０は、被験者の呼吸要求、被験者の神経活動及び／又は被験者の気道の状態を示す他のパラメータを監視する一つ以上のセンサを含む。
【００４１】
ユーザインタフェース３１は、機器１０とユーザ（例えば、被験者、介護者、眠っている同行者等）との間のインタフェースを提供し、当該インタフェースを通って、ユーザは、情報を機器１０から受けたり、情報を機器１０へ供給する。これは、集合的に「情報」と呼ばれるデータ、結果及び／又は命令並びに他の任意の伝達可能なアイテムが、ユーザとプロセッサ３２との間で通信可能にされる。ユーザインタフェース３１に包含されるのに適しているインタフェース装置の例は、キーパッド、ボタン、スイッチ、キーボード、ノブ、レバー、ディスプレイ画面、タッチスクリーン、スピーカ、マイクロホン、指標照明、可聴警報及びプリンタが挙げられる。
【００４２】
有線又は無線の他の通信技術もユーザインタフェース３１として本発明により考察されることは、理解されるべきである。例えば、本発明は、ユーザインタフェース３１が着脱可能な電気的記録インタフェースと一体化されることを意図する。この例では、情報は、機器１０の実行をユーザによりカスタマイズ可能にする着脱可能な記録部（例えば、スマートカード、フラッシュドライブ、リムーバブルディスク等）から、機器１０へロードされる。ユーザインタフェース３１として機器１０の用途に適した他の例示的な入力装置及び技術は、限定されるわけではないが、ＲＳ―２３２ポート、ＲＦリンク、ＩＲリンク、モデム（電話、ケーブル又はその他）を含む。要するに、機器１０と情報を通信するための任意の技術が、ユーザインタフェース３１として本発明により意図される。
【００４３】
プロセッサ３２は、呼吸機器１０の情報処理機能を供給するように構成される。同様に、プロセッサ３２は、デジタルプロセッサ、アナログプロセッサ、情報を処理するように設計されたデジタル回路、情報を処理するように設計されたアナログ回路、状態装置及び／又は情報を電子的に処理するための他のメカニズムの一つ以上を含んでもよい。プロセッサ３２が単一の構成要素として図４に示されているが、これは図示目的のためだけである。幾つかの実行において、プロセッサ３２は、複数の処理ユニットを含んでもよい。これらの処理ユニットは物理的に同じ装置内に位置されるか、又はプロセッサ３２は協調して動作する複数の装置の処理機能を表してもよい。一つの実施例では、プロセッサ３２は、ボディ１４により担持される。
【００４４】
図４に示されているように、一つの実施例では、プロセッサ３２は、安定性モジュール３４、制御モジュール３６、設定モジュール３８、被験者監視モジュール３９及び／又は他のモジュールを含む。モジュール３４、３６、３８及び／又は３９は、ソフトウェア、ハードウェア、ファームウェア、又はソフトウェア、ハードウェア及び／若しくはファームウェアの組み合わせで実行されてもよいし、及び／又は他のやり方で実行されてもよい。モジュール３４、３６、３８及び３９が単一の処理ユニット内で共に位置されるように図４に図示されているが、実際にはプロセッサ３２が複数の処理ユニットを含んでもよいし、モジュール３４、３６、３８及び／又は３９が他のモジュールから離れて位置されてもよいことは、理解されるべきである。更に、種々異なるモジュール３４、３６、３８及び／又は３９により供給される機能の説明は、図示目的であって、限定するわけではないが、モジュール３４、３６又は３８は説明されているのより多い機能又は少ない機能を提供してもよい。例えば、モジュール３４、３６、３８及び／又は３９の一つ以上が除去され、その機能の一部又は全てがモジュール３４、３６及び／又は３８の他のモジュールにより供給されてもよい。他の例として、プロセッサ３２は、モジュール３４、３６、３８及び／又は３９の１つに起因する機能の一部又は全てを実施する一つ以上の追加モジュールを含んでもよい。
【００４５】
安定性モジュール３４は、被験者の気道の安定性を決定するように構成される。被験者の気道の安定性は、センサ３０により生成される出力信号に基づいて決定される。一つの実施例では、安定性モジュール３４によりなされる被験者の気道の安定性の決定は、既定の閾値を上回る被験者の気道内の不安定性の例の特定を含む。一つの実施例では、安定性モジュール３４によりなされる被験者の気道の安定性の決定は、被験者の気道の安定性の測定を含む。
【００４６】
図４に図示される呼吸機器１０の実施例では、呼気バルブ２８は、ボディ１４の内部から外気へのガス（例えば、呼気されたガス）の流れに対する制御可能な抵抗を供給するように構成される。制御モジュール３６は、ガスのこの流れに対する呼気バルブ２８の抵抗を制御するように構成される。とりわけ、制御モジュール３６は、安定性モジュール３４によりなされる気道安定性の決定に基づいて、ボディ１４の内部から外気へのガスの流れに対する呼気バルブ２８の抵抗を制御する。例えば、安定性モジュール３４は、被験者の気道が開いていて安定であると決定する場合、ボディ１４の内部から外気へのガスの流れに対する呼気バルブ２８の抵抗は、比較的小さくなるように制御モジュール３６により制御され、これにより、ボディ１４を通って被験者が自由に呼気することを可能にする。他方では、安定性モジュールは、被験者の気道が不安定になったと決定する場合、ボディ１４の内部から外気へ流れるガスに対する呼気バルブ２８の抵抗は、呼気の間、被験者の気道内の圧力を増大するために増大され、これにより、被験者の気道を安定させる。呼気バルブ２８のこの制御は、特に被験者の気道が安定なとき、被験者に呼吸機器１０の快適さを強化する。
【００４７】
一つの実施例では、制御モジュール３６は、被験者１２の快適さを強調するように設計されているアルゴリズムに従って、ボディ１４の内部から外気へのガスの流れに対する呼気バルブ２０の抵抗を制御する。例えば、制御モジュール３６は、比較的低い初期値に呼気バルブ２０の抵抗をセットし、その後時間をかけて治療上の値へ抵抗を逓増させる。これは、被験者徐々に時間とともに気道の加圧に慣れるようにさせる。幾つかの場合では、これは、患者が、比較的低い抵抗で寝入って、その後寝入った後に治療上の抵抗値で治療上のサポートを受けることを可能にする。一つの実施例では、制御モジュール３６は、初期抵抗へ抵抗値を（例えば、ユーザインタフェースを介して）被験者がリセット可能にする。これは、起きるとすぐに、呼気バルブ２０の抵抗を被験者が低減可能にし、これによって、被験者が再び寝入ることができるように、被験者の快適さを強化する。
【００４８】
設定モジュール３８は、制御モジュール３６が気道の安定性の減少に反応する態様を被験者が、少なくともいくぶん構成可能にするように構成される。例えば、設定モジュール３８は、被験者が、制御モジュール３６の感度を気道不安定性に設定可能にし、気道不安定性を検出すると呼気されたガスに対する呼気バルブ２８の抵抗に付与される増加の量を設定可能にし、及び／又は制御モジュール３６により制御される呼吸機器１０の他のパラメータを設定可能にする。一つの実施例では、設定モジュール３８は、ユーザインタフェースを介して被験者にアクセス可能である。ユーザインタフェースは、ボディ１４上に担持されるか、又は被験者が設定モジュール３８の構成のため他の処理構成要素（例えば、コンピュータ、携帯電話、パーソナル携帯情報機器等）と呼吸機器とを接続する通信ポートを含む。幾つかの場合には、バルブ２８は、プロセッサ３２から分離すると、バルブ２８が開くか又は最大の抵抗設定に戻るように構成される。
【００４９】
被験者監視モジュール３９は、機器１０から治療を受けている被験者を監視するように設定される。特に、被験者監視モジュール３９は、睡眠の間、気道閉塞を生じさせる被験者の状況又は症候群の状態を監視する。例えば、閉塞型睡眠時無呼吸症候群（「ＯＳＡ」）は、変形性（退行性）状態である傾向がある。被験者監視モジュール３９は、被験者が受けるＯＳＡの進捗の状態に関して、情報を被験者又は他のユーザに提供するために、被験者を監視する。幾つかの例では、被験者監視モジュールは、（例えば、安定性モジュール３４により特定されるような）多くの妨害事象、（例えば、センサ３０により生成される出力信号に基づく）機器１０を通るガスの流れの一つ以上パラメータ及び／又はＯＳＡ若しくは被験者が受ける他の状態の進捗に関係する他の情報の一つ以上を監視する。被験者監視モジュール３９は、ユーザインタフェース３１を介して、ＯＳＡ又は被験者が受ける他の状況の状態の指標を被験者に供給する。
【００５０】
一つの実施例では、被験者監視モジュール３９は、被験者が受ける妨害事象の数に基づいて、毎夜、毎週、毎月又は他の周期でユーザに指標を供給する。例えば、妨害事象の数が既定の閾値を突破する場合、被験者が機器１０により現在供給されているもの以外の付加的な気道サポートを必要とするという指標が、ユーザに供給される。
【００５１】
一つの実施例では、被験者監視モジュール３９は、ユーザインタフェース３１を介して、センサ３０及び／又は安定性モジュール３４からユーザへ獲得されるデータを供給する。ユーザは、その後、ＯＳＡ又は被験者が受ける他の状況の進捗についての決定をするためにそのデータを実行する。幾つかの例では、被験者監視モジュール３９から受けるデータは、例えば、ＯＳＡ又は被験者が受ける他の状況、被験者の症状及び／又は被験者が受ける妨げられた呼吸の生理的原因を分類する表現型検査を実施するために用いられる。
【００５２】
図４の呼吸機器１０に起因している特徴及び機能の少なくとも幾つかが、プロセッサ３２のような電気的プロセッサを含まない実施例で実行されてもよいことは、理解されるだろう。非限定的な例として、バルブ２８に関して上述の抵抗の漸進的逓増は、バルブ２８を通じてガス流を徐々に制限するための機械的機構により（例えば、バルブ２８で形成される一つ以上の開口部の直径及び／又は横断面を徐々に制限することにより）達成できる。例えば、メモリポリマーが、バルブ２８で形成される一つ以上の開口部に挿入される。メモリポリマーは、（例えば、挿入プラグにより）増大された後に収縮する。バルブ２８は、膜／メモリ構造体がリセット機構により最初の開位置に置かれた後、バルブ２８と関連した開口部を閉じるために、膜（又は複数の膜）を引っ張るか又は押すメモリ金属／ポリマー／ナノ構造体を含む。バルブ２８は、バルブ２８でゆっくり開口部を閉じるために膜（又は複数の膜）に対して押圧している、呼吸圧により解除されるばねベースのクロック状機構を含む。バルブ２８は、（一定又は予めプログラムされた時間で動作される）バルブ開口部をゆっくり閉じるために、ロッキングラチェットクロック機構を含む。抵抗を逓増するためバルブ２８に関連するバルブ開口部をゆっくり閉じるための他の機構も考察されてもよい。
【００５３】
一つの実施例では、電気的プロセッサからの制御なしで時間をかけてゆっくり抵抗を逓増させるためにバルブ２８に含まれる機械的機構は、発動制御を含む。発動制御は、被験者１２により、又は必要に応じて睡眠中被験者１２の近くの他の人（例えば、配偶者、親、介護者等）により起動される。
【００５４】
電子プロセッサによる制御なしに図４に図示される機器１０の実施例で達成される機能のタイプの他の例として、呼吸機器１０は、バルブ２８の抵抗の変化をトリガーするための機械的機構を含む。例えば、バルブ２８は、被験者のいびきにより振動させられる共振音容器及び／又は音叉を含む。共振音容器又は音叉は、バルブ２８と関連する一つ以上の開口部に制限を生じさせるクロック機構又はリリース機構に結合される。
【００５５】
図５は、呼吸機器１０により供給される被験者の気道へのサポートを強化する付加的な特徴を含む呼吸機器１０の実施例を例示する。図５に示される実施例では、呼吸機器１０は、被験者の気道をサポートするように構成されるシステム４０の部品として実行される。一つの実施例では、呼吸機器１０に加えて、システム４０は、圧力生成器４２及び回路４４を含む。
【００５６】
圧力生成器４２は、呼吸機器１０を介して被験者の気道へ送出のための呼吸可能なガスの圧力がかかった流れを生成するように構成される。圧力生成器４２により生成される呼吸可能なガスの圧力がかかった流れの一つ以上のパラメータは、治療目的のため圧力生成器４２により制御される。例えば、圧力生成器４２は、呼吸可能なガスの圧力がかかった流れの圧力、流率、成分及び／又は他のパラメータの一つ以上を制御する。一つの実施例では、圧力生成器４２は、ガス供給源と、当該ガス供給源内のガスから生成されるガスの圧力がかかった流れの流れ及び／又は圧力を制御する一つ以上の部品とを含む。ガス供給源は、例えば、外気、圧力がかかったガスのタンク、壁ガス供給源及び／又は呼吸可能なガスの他のボディのような呼吸可能なガスの任意の供給源（又は、複数の供給源）を含む。ガス供給源からの呼吸ガスは、ガス状の形態（例えば一酸化窒素、霧状等）である空気、酸素、酸素混合物、呼吸ガス及び薬物の混合物のような任意の呼吸可能なガスであったり、及び／又は他の呼吸可能なガスである。呼吸可能なガスの圧力がかかった流れの一つ以上のパラメータを制御する一つ以上の部品は、呼吸可能なガスの圧力がかかった流れの一つ以上のパラメータを制御するためのバルブ、ブロワー、ピストン、送風装置及び／又は他の機構の一つ以上を含む。
【００５７】
回路４４は、呼吸機器１０と圧力生成器４２との間にガス流路を形成する。回路４４により形成されるガス流路は、圧力生成器４２により生成される呼吸可能なガスの圧力がかかった流れを圧力生成器４２から呼吸機器１０へ送る。図５に示される実施例では、回路４４は、圧力生成器４２と呼吸機器１０との間を走る導管を含む。導管は、可撓性で、圧力生成器４２と呼吸機器１０との間の流路を外気から実質的に封止する。後述のように、圧力がかかった呼吸可能なガスの流れは、比較的低い流率で呼吸機器１０に供給される。このように、回路４４の断面積は、比較的小さい。例えば、一つの実施例では、回路４４の断面積は、約１ｃｍ２未満である。一つの実施例では、回路４４の断面積は、約１．５ｃｍ２未満である。一つの実施例では、呼吸可能なガスの圧力がかかった流れの低い流率のため、回路４４は、比較的可撓性である。回路４４の比較的小さな断面サイズ及び／又は回路４４の相対的な柔軟性の一方又は両方は、より大きい流率に依存し、送出のため、より大きく及び／又はより固い回路を必要とする圧力サポートシステム（例えば従来のＰＡＰシステム）に関して、システムの有用性を強化する。例えば、より小さな及び／又はより可撓性の回路４４は、被験者にとって、より快適である。他の例として、より小さく、より可撓性の回路４４は、使用の間、呼吸機器１０に転換される引っ張る力及び／又はトルクを減少させる。引っ張る力及び／又はトルクのこの減少は、呼吸機器１０及び／又は呼吸機器１０を適所に保持する装置（例えば、ヘッドギア）に対するサイズ及び／又は大きさの低減を可能にし、これにより呼吸機器１０のより小さな、より観血的でない設計を可能にする。
【００５８】
回路４４から呼吸可能なガスの圧力がかかった流れを受けるために、図５の図示される実施例では、呼吸機器１０のボディ１４は、回路４４により形成される流路がボディ１４の内部と連通される回路ポート４６を形成する。一つの実施例では、回路バルブ（図示せず）は、回路ポート４６に配置されている。回路バルブは、ボディ１４への呼吸可能なガスの圧力がかかった流れの流率を制御する。幾つかの例では、回路バルブの抵抗は、ボディ１４への呼吸可能なガスの圧力がかかった流れの流率の調整を可能にするために、制御可能に調節できる。一つの実施例では、呼吸可能なガスの圧力がかかった流れの流率は、圧力生成器４２の動作を調整することにより制御される。一つの実施例では、回路バルブは、呼気の間、回路４４の下で気流を制御するか又は止めるように設計されている。
【００５９】
一つの実施例では、回路４４は回路ポート４６から着脱可能であり、呼吸機器１０は、回路４４が取り外される一方で、回路ポート４６を封止するために回路ポート４６に着脱自在に挿入できるプラグ（図示せず）を含む。一つの実施例では、プラグを受けるよりはむしろ、回路ポート４６内に配置された回路バルブは、外気からのガスが回路ポート４６を通ってボディ１４に入ることを妨げるために、閉じることができる。外気から回路ポート４６を封止することは、回路ポート４６に取り付けられている回路４４がない場合、呼吸機器１０が、上述のように（例えば、図１乃至図４に関して）機能することを可能にする。例えば、被験者は、回路４４を通って送られる呼吸可能なガスの圧力がかかった流れにより供給される付加的なサポートなしに、呼吸機器１０により供給される気道のサポートを受けたいと欲する。他の例として、被験者が家から離れていて、圧力生成器４２及び／又は回路４４を運びたくないとき、被験者は、回路４４及び圧力生成器４２なしで呼吸機器１０を使用する。
【００６０】
一つの実施例では、呼吸可能なガスの圧力がかかった流れは、被験者の気道へ付加的なサポートを供給するため、比較的一定の流率で圧力生成器４２により生成される。上述されたように、呼吸の間、被験者は、吸入ポート２０と被験者インタフェース開口部１８との間に形成される流路を介して外気からボディ１４を通って自由に吸入する。呼気の間、吸入ポート２０は吸入バルブ２６により閉じられ、被験者インタフェース開口部１８を通って呼気されるガスは、被験者インタフェース開口部１８と呼気ポート２２との間の流路を介して外気へ排出される。呼気ポート２２に取り付けられる呼気バルブ２８の抵抗により、呼気されたガスは、気道サポートを供給する、被験者の気道内に圧力を作る。
【００６１】
上記のことから理解できるように、回路４４及び圧力生成器４２なしに呼吸機器が、呼気の間、被験者の気道へサポートを供給する一方、気道は、吸入の間、まだ比較的サポートされていないままである。更に、呼気の間、気道の加圧は、被験者により呼気される空気のボリューム並びに／又は被験者の気道のサイズ及び形状により制限される。このように、圧力生成器４２及び回路４４のない呼吸機器１０の使用は、従来のＰＡＰサポートシステム上で被験者に強化された快適さを提供する一方、呼吸の間、呼吸機器１０単独により供給されるサポートが、被験者を適切にサポートするには充分ではない。
【００６２】
呼吸機器１０単独の使用が気道への適切なサポートを被験者に提供しない例では、圧力生成器４２及び回路４４と一緒の呼吸機器１０の使用は、呼吸機器１０単独の使用と従来のＰＡＰサポートシステムとの間の中間の治療オプションを供給する。圧力生成器４２及び回路４４と組み合わせて、呼吸機器１０は、あるレベルのサポートを被験者の気道へ供給する一方、被験者が外気から吸入及び外気へ呼気できるように上述のように機能する。回路４４を介して呼吸機器１０へ送られる呼吸可能なガスの圧力がかかった流れの流率は、吸入の間、受け入れられる最小レベルに気道圧を維持するのに充分大きいだけである。ガスの圧力がかかった流れが、呼吸機器１０により被験者の気道へ送られる呼吸可能なガスの主要な源ではないし、（従来のＰＡＰシステムの場合のように）気道サポートの主要な源でもないので、呼吸可能なガスの圧力がかかった流れの流率は比較的低い。例えば、一つの実施例では、呼吸可能なガスの圧力がかかった流れの流率は、約１００ＬＰＭ未満のままである。一つの実施例では、呼吸可能なガスの圧力がかかった流れの流率は、約７５ＬＰＭより低いままである。一つの実施例では、呼吸可能なガスの圧力がかかった流れの流率は、約５０ＬＰＭより低いままである。一つの実施例では、呼吸可能なガスの圧力がかかった流れの流率は、約４０ＬＰＭより低いままである。加圧ガスの比較的低い流率は、より高い流率を必要とするシステム（例えば、従来のＰＡＰシステム）に対して、強化された有用性（例えば、快適さ）を被験者に提供する。
【００６３】
一つの実施例では、呼吸可能なガスの圧力がかかった流れの流率は、使用の間、一貫して供給される比較的静的なパラメータである。被験者に対する流率は、特に被験者のために決定される。例えば、一つの実施例では、睡眠学習の間、一人以上の介護者は、被験者のための適当な流率を決める。一つの実施例では、被験者のための適当な流率は、被験者の気道内の圧力を監視することにより決定される。被験者のための適当な流率は、呼気と吸入との間の遷移で、被験者の気道内の圧力が最小限の遷移気道圧より下に通常ならないことを保証する流率である。最小限の遷移気道圧は、例えば、約４ｃｍＨ２Ｏである。
【００６４】
一つの実施例では、回路４４からの呼吸可能なガスの圧力がかかった流れの流率及び／又は圧力は、時間とともにゆっくり増大する。回路４４からの呼吸可能なガスの流率及び／又は圧力の徐々の増大は、睡眠の間、効率的な治療のために必要とされるレベルより、被験者のためにより快適である初期レベルから増大してもよい。時間とともに、流率及び／又は圧力のレベルは、効率的な治療を供給するレベルまで増大する。このアプローチは、呼吸可能なガスの圧力及び／又は流率が徐々に増大するので、被験者が呼吸機器１０を介して治療のレセプションにゆっくり調整することを可能にする。幾つかの例では、被験者は、圧力及び／又は流率の増大されたレベルに達する前に、寝入りさえする。この実施例では、最初の減少したレベルまで流率及び／又は圧力を「リセットする」制御が、被験者に供給される。例えば、被験者が夜目覚める場合、このリセットは、被験者が再度眠ろうとする一方、被験者が呼吸可能なガスの圧力及び／又は流率のレベルを低下可能にする。
【００６５】
他の実施例では、回路４４からの呼吸可能なガスの圧力及び／又は流率は、さもなければ、供給される気道サポートの快適さ及び／又は効力を改良するために変化される。例えば、圧力及び／又は流率は、吸入の間の第１のレベルと呼気の間の第２のレベルとの間に２つのレベルモードによって変化されてもよい。他の例として、圧力及び／又は流率は、上述の単純な増大よりもっと洗練された逓増モードに従って増大されてもよい。
【００６６】
一つの実施例では、呼吸可能なガスの流れの様々なパラメータが、単純な気道サポート以外の治療上の利点を供給するために制御される。例えば、呼吸可能なガスの流れの成分が（例えば、被験者に補足的な酸素を供給するために）制御され、呼吸可能なガスの流れの圧力及び／又は流率が被験者の呼吸パターンを同調させるために（例えば、呼吸レートを低下させるために、呼吸ボリュームを増大させるために等）制御され、及び／又はパラメータが他の治療目的のために制御される。
【００６７】
図６は、この開示の一つの実施例によるシステム４０のブロック図である。図６に示される図では、上述のような呼吸機器１０、圧力生成器４２及び回路４４に加えて、システム４０は、一つ以上のセンサ４８、ユーザインタフェース４９及びプロセッサ５０を含む。図６に図示される実施例では、回路バルブ５２は、回路４４からボディ１４に入る呼吸可能なガスの圧力がかかった流れの流率を制御するため回路ポート４６内に配置される。一つの実施例（図示せず）では、呼吸可能なガスの圧力がかかった流れの流率が、後述する回路バルブ５２により供給される流率制御よりはむしろ、又は当該流率制御に加えて、圧力生成器４２の制御を通じて調整されてもよいことは、理解されるべきである。
【００６８】
センサ４８は、呼吸機器１０が取り付けられる（例えば、図１に示され上述されているように）被験者の気道の安定性に関係する情報を運ぶ一つ以上の出力信号を生成するように構成される。一つの実施例では、センサ４８は、ボディ１０上に担持される。一つの実施例では、センサ４８は、回路４４により担持される。非限定的な例として、センサ４８は、被験者の気道で又はその近くで（例えば、ボディ１４内で）、ガスの一つ以上のパラメータを監視する。一つ以上のパラメータは、流れ、圧力及び／又は他のパラメータの一つ以上を含む。一つの実施例では、センサ４８は、振動を電気的出力信号に変換するトランスデューサを含む。トランスデューサにより生成される出力信号は、被験者の気道の不安定性（例えば、「いびき」）により生成される音波の振動、気道不安定性により生じる被験者の気道の周りの組織の振動及び／又は気道不安定性を示す他の振動を変換する。
【００６９】
ユーザインタフェース４９は、システム４０とユーザ（例えば、被験者、介護者、眠りの同行者等）との間にインタフェースを供給するように構成され、当該インタフェースを通じて情報をユーザシステム４０へ供給したり、ユーザシステム４０から情報を受けたりする。ユーザインタフェース４９は、（図４に示されて、上述されている）ユーザインタフェース３１と実質的に同じ態様で機能する。一つの実施例では、ユーザインタフェース４９は、複数の実際のインタフェースを含む。一つの実施例では、ユーザインタフェース４９は、圧力生成器４２と関連したインタフェース及び／又は機器１０と関連したインタフェースを含む。
【００７０】
プロセッサ５０は、システム４０の情報処理機能を供給するように構成される。このように、プロセッサ５０は、デジタルプロセッサ、アナログプロセッサ、情報を処理するように設計されたデジタル回路、情報を処理するように設計されたアナログ回路、状態装置及び／又は情報を電気的に処理するための他の機構の一つ以上を含む。プロセッサ５０が単一の構成要素として図６に示されているが、これは図示目的のためだけである。幾つかの実施態様では、プロセッサ５０は、複数の処理ユニットを含む。これらの処理ユニットは、同じ装置内に物理的に位置されるか、又はプロセッサ５０は、協調して動作する複数の装置の処理機能を表してもよい。一つの実施例では、プロセッサ５０は、ボディ１４により担持される。一つの実施例では、プロセッサ５０は、回路４４及び／又は圧力生成器４２により担持される。
【００７１】
図６に示されているように、一つの実施例では、プロセッサ５０は、安定性モジュール５４、制御モジュール５６、設定モジュール５８、被験者監視モジュール５９及び／又は他のモジュールを含む。モジュール５４、５６、５８及び／又は５９は、ソフトウェア、ハードウェア、ファームウェア、又はソフトウェア、ハードウェア及び／若しくはファームウェアの幾つかの組合せで実行されてもよいし、及び／又はそれ以外で実行されてもよい。モジュール５４、５６、５８及び５９は、単一の処理ユニット内で共に配置されるように図６に図示されているが、プロセッサ５０が複数の処理ユニットを含む実施形態では、モジュール５４、５６、５８及び／又は５９が他のモジュールから離れて位置されてもよいことは、理解されるべきである。更に、モジュール５４、５６、５８及び／又は５９の何れかが説明されている以外の多かれ少なかれ機能を供給するので、以下に説明される異なるモジュール５４、５６、５８及び／又は５９により供給される機能の説明は、図示目的のためであって、限定する意図はない。例えば、モジュール５４、５６、５８及び／又は５９の一つ以上が除去されてもよいし、その機能の一部又は全てがモジュール５４、５６、５８及び／又は５９の他のモジュールにより供給されてもよい。他の例として、プロセッサ５０は、モジュール５４、５６、５８及び／又は５９の１つのモジュールに帰する機能の幾つか又は全てを実施する一つ以上の追加モジュールを含む。
【００７２】
安定性モジュール５４は、被験者の気道の安定性を決定するように構成される。被験者の気道の安定性は、センサ４８により生成される出力信号に基づいて決定される。一つの実施例では、安定性モジュール５４によりなされる被験者の気道の安定性の決定は、既定の閾値を上回る被験者の気道の不安定性の例の特定を含む。一つの実施例では、安定性モジュール５４によりなされる被験者の気道の安定性の決定は、被験者の気道の安定性の測定を含む。
【００７３】
図６に図示されるシステム４０の実施例では、制御モジュール５６は、回路４４からボディ１４へ圧力がかかったガスの流れに対する回路バルブ５２の抵抗を制御するように構成されている。回路バルブ５２のこの抵抗を制御することにより、制御モジュール５６は、回路４４からボディ１４への呼吸可能なガスの圧力がかかった流れの流率を制御する。一つの実施例では、制御モジュール５６は、安定性モジュール５４によりなされる気道安定性の決定に基づいて、回路バルブ５２の抵抗を制御する。例えば、安定性モジュール５４は、被験者の気道が開いていて安定であると決定する場合、回路４４からボディ１４への圧力がかかったガスの流れに対する回路バルブ５２の抵抗が、制御モジュール５６により比較的大きくなるように制御され、これにより、回路４４からボディへの圧力がかかったガスの流れを低減させるか又は止める。他方、安定性モジュール５４は被験者の気道が不安定になったと決定する場合、回路バルブ５２の抵抗は、圧力がかかったガスが回路４４からボディ１４を通って被験者の気道へと流れることを許容するために減少され、これにより、吸入の間、被験者の気道を安定させるために被験者の気道内の圧力を増大する。回路バルブ５２のこの制御は、特に被験者の気道が安定なとき、被験者にシステム４０の快適さを強調する。バルブ５２は、圧力源内に含まれる加圧ガス回路内の何処にも配置できる。他の構成は、バルブ５２が外気への分路である構成を含む。同様の効果は、例えば、ブロワー速度を制御して、バルブ５２なしで得られる。当業者にとって明らかである多くの可能な圧力制御構成がある。
【００７４】
一つの実施例では、制御モジュール５６は、回路バルブ５２の抵抗を逐次増大及び／又は減少させる。これら逐次の増大及び／又は減少は、安定性モジュール５４によって決定されるように、被験者の気道の安定性の逐次の増大及び／又は減少に反応している。一つの実施例では、制御モジュール５６は、ガスが既定の流率で回路１４からボディ１４に流れ込むのを許容する開位置に対応する抵抗と、回路４４からのガスの流れが止められるか又は著しく遅くなる閉位置に対応する抵抗との間で、回路バルブ５２の抵抗を調整する。一つの実施例では、安定性モジュール５４により特定されるように、被験者の気道の不安定化に応答して、制御モジュール５６は、回路バルブ５２の抵抗を逐次減少させ始め、これにより気道が安定するまで、回路４４から被験者の気道へのガスの流れを逐次増大させる。一つの実施例では、回路バルブ５２の抵抗体が減少され被験者の気道が安定する場合、制御モジュールは回路バルブ５２の抵抗を逐次増大させ、これにより、流れが止められるか若しくは著しく遅くなるか、又は他の不安定化が安定性モジュール５４により特定されるまで、回路４４から被験者の気道へのガスの流れを逐次減少させる。
【００７５】
一つの実施例では、回路バルブ５２の抵抗を制御することに加えて、制御モジュール５６は、安定性モジュール５４によりなされる被験者の気道の安定性の決定に基づいて、呼気バルブ２８の調整可能な抵抗を制御する。例えば、制御モジュール５６は、図４を参照して上述された態様で、呼気バルブ２８の抵抗を制御する。図６に図示される実施例では、制御モジュール５６は、システム４０により被験者に供給される治療の一つ以上の態様を強化するために、呼気バルブ２８及び回路バルブ５２の制御を調整する。非限定的な例として、制御モジュール５６は、安定性モジュール５４が気道不安定性を特定する場合、被験者の気道を同時にサポートするために、呼気バルブ２８の抵抗を増大させ、回路バルブ５２の抵抗を減少させる。他の例として、制御モジュール５６は、被験者の気道が安定するまで、被験者の気道内の圧力が、バルブの１つの抵抗を最初に調整し（例えば、呼気バルブ２８の抵抗を増大させ）、次に他のバルブの抵抗を調整することにより（例えば、回路バルブ５２の抵抗を減少させることにより）増大される段階的制御スキームを実行する。
【００７６】
設定モジュール５８は、制御モジュール５６が気道の安定性の減少に反応する態様を被験者が少なくともいくらか設定可能にするように構成される。例えば、設定モジュール５８は、被験者が、気道不安定性に対する制御モジュール５６の感度、検出された気道不安定性に応じて呼気されるガスに対する呼気バルブ２８の抵抗に適用される増大の量、検出された気道不安定性に応じて回路バルブ５２の抵抗に適用される減少の量を設定し、及び／又は制御モジュール５６により制御されるシステム４０の他のパラメータ（例えば、圧力生成器４２のパラメータ等）を設定可能にする。一つの実施例では、設定モジュール５８は、ユーザインタフェースを介して被験者にアクセス可能である。ユーザインタフェースは、ボディ１４上に担持されるか、又は通信ポートを含み、当該通信ポートを介して被験者は、設定モジュール５８の構成のため他の処理構成要素（例えば、コンピュータ、携帯電話、パーソナル携帯情報機器等）とシステム４０とを接続する。
【００７７】
被験者監視モジュール５９は、ＯＳＡの状態又は被験者がかかる他の状態を監視し、ユーザインタフェース４９を介してユーザにこの監視結果を提供するように構成される。一つの実施例では、被験者監視モジュール５９は、被験者監視モジュール３９と実質的に同じ態様で動作する。一つの実施例では、被験者監視モジュール３９により得られ及び／又は生成される情報は、制御モジュール５６が、ガスを呼吸機器１０に送る際、圧力生成器４２及び／又は回路バルブ５２を制御する態様を決定するために制御モジュール５６により実行される。
【００７８】
一つの実施例では、プロセッサ５０は、システム４０の外部の一つ以上の治療システムと通信する一つ以上のモジュールを含む。これらのモジュールは、プロセッサ５０により制御される治療の態様が、一つ以上の外部システムにより被験者に供給される治療と調整されることを保証するように機能する。例えば、システム４０により供給される治療は、不眠症治療、疼痛管理治療、診断用装置及び／若しくはシステム、照明治療、薬物の投与、並びに／又はシステム４０により供給される気道サポート及び／若しくは圧力により強化若しくは妨げられる他の治療及び／若しくは診断の一つ以上と調整される。
【００７９】
図７は、ボディ１４が被験者１２の鼻孔を囲み、回路４４からボディ１４へ送られる呼吸可能なガスの圧力がかかった流れが鼻孔の一つだけ（又は、実質的に一つだけ）に供給されるシステム４０の実施例の線図である。幾つかの例では、鼻孔の１つに呼吸可能なガスの圧力がかかった流れを供給するだけに加えて、呼吸機器１０は、ガスが鼻孔の一方と外気との間に流れ、この流れは鼻孔の他方と外気との間の流れとは異なる抵抗で流れるように構成される。
【００８０】
より詳しくは、ボディ１４は、回路ポート５２から被験者インタフェース開口部１８の単一の開口部への単一の流路を形成するように構成される。この単一の流路を形成するために、ボディ１４は、他の被験者インタフェース開口部への圧力がかかったガスの流れのアクセスを阻止する一方、回路ポート５２から被験者インタフェース開口部１８の単一の開口部への圧力がかかったガスの流れをガイドするガスの流れに対する一つ以上の内部障壁６０を含む。内部障壁６０が単一の通さない障壁として図７に図示されているが、これは限定する意図はない。一つの実施例では、複数の障壁部材は、本願では内部障壁６０に起因する機能を実施する。一つの実施例では、内部障壁６０は、流路の間のガスの流れを封止せず、代わりに流路の間のアクセスを制限する。一つの実施例では、内部障壁６０は、ボディ１４内に形成される流路の間で一方向へガスが流れることを可能にする一方向バルブを含む。
【００８１】
一般に、被験者１２は、回路４４から被験者１２の気道への呼吸可能なガスの圧力がかかった流れの供給が目立っていることを見つける。回路４４から被験者１２の鼻孔の一方への呼吸可能なガスの圧力がかかった流れを方向づけることにより、当該流れのこの目立ちは、被験者１２の気道を加圧する利点を依然供給する一方で、低減される。例えば、回路４４から被験者１２の鼻孔の一方へガスの流れを供給するだけにより、回路４４からのガスの流れのため被験者１２により経験される鼻腔内の冷たさ及び／又は乾燥は、鼻孔の他方を通る呼気及び／又は吸入が、鼻腔の両方に暖かさ及び／又は湿気を供給するので、低減される。他の例として、回路４４から被験者１２の鼻孔の一方のみへのガスの流れの方向は、気流に逆らった呼吸と関連する聞こえるノイズを低減する。
【００８２】
図７で分かるように、一つの実施例では、内部障壁６０は、ボディ１４内に形成された流路の第１のサブセットが、外気と被験者インタフェース開口部１８の一つとの間でガスを通気させ、ボディ１４内に形成された流路の第２のサブセットが外気と他の被験者インタフェース開口部との間でガスを通気させるように、被験者インタフェース開口部１８と外気との間でガスを通気させる流路を離隔する。内部障壁６０により作られる分離は、流路の第２のサブセットから、流路の第１のサブセットを効果的に封止する。
【００８３】
上述されたように、回路４４は回路ポート４６から着脱可能であり、回路ポート４６は（例えば、回路バルブ５２、ストッパー等により）閉じられる。回路４４が外され回路ポート４６が閉じられる場合、呼吸機器１０は、被験者１２の鼻孔から外気へのボディ１４内のガスの流れに対する流路の第１のサブセット及び流路の第２のサブセットの抵抗のおかげで、呼気の間、被験者１２の気道へサポートを供給する。
【００８４】
一つの実施例では、流路の第１のサブセットは、被験者インタフェース開口部１８から外気へのガスの流れ及び外気から被験者インタフェース開口部１８へのガスの流れに対する、流路の第２のサブセットと同じ累積的な抵抗を持つ。一つの実施例では、流路の第１のサブセットは、被験者インタフェース開口部１８から外気へのガスの流れ及び／又は外気から被験者インタフェース開口部１８へのガスの流れに対する、流路の第２のサブセットと異なる累積的な抵抗を持つ。
【００８５】
例えば、ある構成では、流路（すなわち、回路４４からガスの流れを受け取らない流路）の第２のサブセットに対応する吸入ポート２０は、完全に阻止される。この構成では、流路の第２のサブセットと連通する鼻孔は、対応する呼気ポート２２を通ってボディ１４からガスを呼気するが、吸入の間、ガスを受けない。結果として、被験者１２は、流路の第１のサブセットからガスを受ける鼻孔だけを通って吸入することを強制され、これは流路の第１のサブセットに供給される呼吸可能なガスの圧力がかかった流れにより供給される気道のサポートを強化する。
【００８６】
ある構成では、流路の第２のサブセットに対応する呼気ポート２２は、完全に阻止される。この構成では、流路の第２のサブセットと連通する鼻孔は、対応する吸入ポート２０を通って外気からガスを吸入する。しかしながら、呼気の間、回路４４からガスの流れを受ける鼻孔だけが、対応する呼気バルブを経由してボディ１４を通って外気へガスを呼気する。
【００８７】
個別に鼻の左右の側に適用される抵抗のこの個々の能動制御は、鼻循環を考慮するとき有利である。例えば、非常に低い呼気の抵抗が、高い固有の鼻抵抗のため既に限られた流れを持つ側にセットできる。反対側は、呼気の間、より高いバルブ抵抗を持つことができる。鼻抵抗を推定して追跡するアルゴリズムは、このように患者への快適さを最大にするために使用できる。
【００８８】
図８は、被験者が呼吸するとき、被験者の気道をサポートする方法６２を例示する。以下に提示される方法６２の動作は、例示であることを意図する。幾つかの実施例では、方法６２は、説明されていない一つ以上の付加的な動作で、及び／又は説明されている動作の一つ以上がなくて達成されてもよい。加えて、方法６２の動作が図８に図示され以下に説明される順番は、制限することを意図しない。方法６２の動作が、（図１乃至図７に示されて、上述された）呼吸機器１０と同じ又は同様である呼吸機器の部品を参照して以下に説明されるが、これは制限することを意図しない。方法６２は、この開示の要旨を逸脱しない範囲で様々な他の状況で実行されてもよい。
【００８９】
動作６４では、被験者の気道の一つ以上の外口が囲まれる。被験者の気道の一つ以上の外口は、気道の一つ以上の外口と外気との間に複数の流路を形成するボディで囲まれる。複数の流路は、当該複数の流路の全てではないが一つ以上の流路で作られる流路の第１のサブセットを含む。一つの実施例では、ボディは、（図１乃至図７に示されて上述された）ボディ１４と同じか又は類似している。
【００９０】
動作６６では、被験者による吸入の間、外気から気道の一つ以上の外口へボディを通るガスの流れに対する複数の流路内のガスの流れに対する第１の累積的な抵抗が供給される。第１の累積的な抵抗は、外気から、実質的に妨げられずに気道の一つ以上の外口へ吸入されるのに充分低い。一つの実施例では、動作６６は、（図１乃至図７に示されて上述された）吸入バルブ２６と同じ又は類似している一つ以上の吸入バルブにより、少なくとも部分的に実行される。
【００９１】
動作６８では、被験者による呼気の間、気道の一つ以上の外口から外気へのボディを通るガスの流れに対する複数の流路のガスの流れに対する第２の累積的な抵抗が供給される。ガスの流れに対する第２の累積的な抵抗は、ボディにより形成される複数の流路内の他の流路を通るガスの流れを制限することなく、流路の第１のサブセットを通るガスの流れを制限して供給される。第２の累積的な抵抗は、高い圧力が被験者の気道をサポートするように、ボディを通って呼気されるガスが被験者の気道内の圧力を上昇させるのに充分高い。一つの実施例では、動作６８は、吸入バルブによって少なくとも部分的に実行される。複数の流路内の他の流路は、（図１乃至図７に示されて上述された）呼気バルブ２８と同じか又は類似している一つ以上の呼気バルブを含む。
【００９２】
動作７０では、第２の累積的な抵抗が調整される。一つの実施例では、第２の累積的な抵抗は、一つ以上の呼気バルブの制御を操作することにより、及び／又は一つ以上の呼気バルブを異なる抵抗のバルブと交換することにより調整される。
【００９３】
図９は、被験者が呼吸するとき、被験者の気道をサポートする方法７２を例示する。以下に提示される方法７２の動作は、例示であることを意図する。幾つかの実施例では、方法７２は、説明されていない一つ以上の付加的な動作で、及び／又は説明されている動作の一つ以上がなくて達成されてもよい。加えて、方法７２の動作が図９に図示され以下に説明される順番は、制限することを意図しない。方法７２の動作が、（図５乃至図７に示されて、上述された）システム４０と同じ又は同様である呼吸機器の部品を参照して以下に説明されるが、これは制限することを意図しない。方法７２は、この開示の要旨を逸脱しない範囲で様々な他の状況で実行されてもよい。
【００９４】
動作７４では、被験者の気道の一つ以上の外口が囲まれる。被験者の気道の一つ以上の外口は、気道の一つ以上の外口と外気との間に複数の流路を形成するボディで囲まれる。複数の流路は、当該複数の流路の全てではないが一つ以上の流路で作られる流路の第１のサブセットを含む。一つの実施例では、ボディは、（図５乃至図７に示されて上述された）ボディ１４と同じか又は類似している。
【００９５】
動作７６で、呼吸可能なガスの圧力がかかった流れの源は、被験者の気道の囲まれた一つ以上の外口と流体連通して置かれる。一つの実施例では、呼吸可能なガスの圧力がかかった流れの源は、（図５乃至図７に示されて上述された）圧力生成器４２と同じか又は類似している圧力生成器である。一つの実施例では、動作７６は、（図５乃至図７に示されて上述された）回路４４及び回路ポート４６と同じか又は類似している回路及び回路ポートにより実施される。
【００９６】
動作７８では、被験者による吸入の間、外気から気道の一つ以上の外口へボディを通るガスの流れに対する複数の流路内のガスの流れに対する第１の累積的な抵抗が供給される。第１の累積的な抵抗は、外気から、実質的に妨げられずに気道の一つ以上の外口へ吸入されるのに充分低い。一つの実施例では、動作７８は、（図１乃至図７に示されて上述された）吸入バルブ２６と同じ又は類似している一つ以上の吸入バルブにより、少なくとも部分的に実行される。
【００９７】
動作８０では、被験者による呼気の間、気道の一つ以上の外口から外気へのボディを通るガスの流れに対する複数の流路のガスの流れに対する第２の累積的な抵抗が供給される。ガスの流れに対する第２の累積的な抵抗は、ボディにより形成される複数の流路内の他の流路を通るガスの流れを制限することなく、流路の第１のサブセットを通るガスの流れを制限して供給される。第２の累積的な抵抗は、高い圧力が被験者の気道をサポートするように、ボディを通って呼気されるガスが被験者の気道内の圧力を上昇させるのに充分高い。一つの実施例では、動作８０は、吸入バルブによって少なくとも部分的に実行される。複数の流路内の他の流路は、（図１乃至図７に示されて上述された）呼気バルブ２８と同じか又は類似している一つ以上の呼気バルブを含む。
【００９８】
動作８２では、呼吸可能なガスの圧力がかかった流れが生成される。一つの実施例では、動作８２は圧力生成器により実施される。
【００９９】
動作８４では、呼吸可能なガスの圧力がかかった流れは、被験者の気道の一つ以上の囲まれた開口部に送られる。被験者の気道の一つ以上の外口へ呼吸可能なガスの圧力がかかった流れの送出は、圧力生成器から呼吸可能なガスの流れを運ぶステップと、運ばれた呼吸可能なガスの流れを受けるステップと、被験者の気道の一つ以上の外口に呼吸可能なガスの流れを向けるステップとを含む。一つの実施例では、動作８４は、（図５乃至図７に示されて上述された）呼吸機器１０及び回路４４と同じか又は類似している呼吸機器及び回路により実施される。
【０１００】
一つの実施例では、被験者の気道の囲まれた一つ以上外口は、被験者の鼻孔を有する。この実施例では、動作８４は、呼吸可能なガスの圧力がかかった流れが被験者の他方の鼻孔に到達することを封止する一方、回路から被験者の鼻孔の一方へ呼吸可能なガスの圧力がかかった流れを向けるステップを有する。動作８４のこの部分は、（図７に示されて上述された）内部障壁６０と同じか又は類似している呼吸機器内の内部障壁により実施される。
【０１０１】
図１０は、被験者が呼吸するとき、被験者の気道をサポートする方法８６を例示する。以下に提示される方法８６の動作は、例示であることを意図する。幾つかの実施例では、方法８６は、説明されていない一つ以上の付加的な動作で、及び／又は説明されている動作の一つ以上がなくて達成されてもよい。加えて、方法８６の動作が図１０に図示され以下に説明される順番は、制限することを意図しない。方法８６の動作が、（図４及び図６に示されて、上述された）システム４０と同じ又は同様である呼吸機器の部品を参照して以下に説明されるが、これは制限することを意図しない。方法８６は、この開示の要旨を逸脱しない範囲で様々な他の状況で実行されてもよい。
【０１０２】
動作８８では、被験者の気道の一つ以上の外口が囲まれる。被験者の気道の一つ以上の外口は、気道の一つ以上の外口と外気との間に複数の流路を形成するボディで囲まれる。複数の流路は、当該複数の流路の全てではないが一つ以上の流路で作られる流路の第１のサブセットを含む。一つの実施例では、ボディは、（図４及び図６に示されて上述された）ボディ１４と同じか又は類似している。
【０１０３】
動作９０では、外気内のガスは、被験者が囲まれた一つ以上の外口を通って自由に吸入できるように、比較的ほとんど抵抗なしに囲まれた一つ以上の外口に到達可能にされる。一つの実施例では、動作９０は、（図４及び図６に示されて上述された）吸入バルブと同じか又は類似している一つ以上の吸入バルブにより実施される。
【０１０４】
動作９２では、被験者の気道の安定性に関係する情報を運ぶ一つ以上の出力信号が生成される。一つの実施例では、動作９２は、（図４及び図６に示されて上述された）センサ３０と同じか又は類似している一つ以上のセンサにより実施される。
【０１０５】
動作９４では、被験者の気道をサポートする治療の１つ以上のパラメータが、動作９２で生成される出力信号に基づいて調整される。一つ以上のパラメータは、例えば、ガスが被験者の気道の囲まれた一つ以上外口から外気へ通気される一つ以上の流路のガスの流れに対する抵抗を含む。一つ以上のパラメータは、非限定的な例として、被験者の気道の一つ以上の外口に供給されるガスの圧力がかかった流れのパラメータ（例えば、流率、圧力等）を含む。一つの実施例では、動作９４は、（図４及び図６に示されて上述された）呼気バルブ２８と同じか又は類似している一つ以上の呼気バルブを制御する（図４及び図６に示されて上述された）プロセッサ３２又はプロセッサ５０と同じか又は類似しているプロセッサ、（図６に示されて上述された）回路バルブ５２と同じか又は類似している一つ以上の回路バルブ、及び／又は（図６に示されて上述された）圧力生成器４２と同じか又は類似している圧力生成器により実施される。
【０１０６】
気道サポートの目的のために被験者の気道内に高い圧力を供給するような上述のシステム及び方法が、説明されてきた。これは、限定的であると見られてはならない。当業者は、本願で説明されているシステム及び方法が同様に他の治療目的のため気道内の圧力を上昇させるために実施されてもよいことを理解するだろう。例えば、吸入と呼気との間の抵抗差を介して被験者の気道内の圧力を制御することは、呼吸機能を最大にし、呼吸時に肺胞の増大された量を得て、肺内の液体増強を減少若しくは遅延させて、及び／又は他の治療利点を供給することにより、急性肺水腫を発見し及び／又は治療するために実行されてもよい。
【０１０７】
本発明は最も実際的であり好ましい実施例であると現在考えられているものに基づいて、例示目的のため詳細に説明されてきたが、斯様な詳細は単に例示目的であり、本発明は開示された実施例に限定されず、これに反して、添付の請求の範囲内にある変更及び等価なアレンジメントをカバーする意図があることは、理解されるべきである。例えば、本発明は、可能な限り、任意の実施例の一つ以上の特徴が他の任意の実施例の一つ以上の特徴と組み合わせられることも考察することは、理解されるべきである。
【図１】
2015062727.tif 000003
【図２】
2015062727.tif 000004
【図３】
2015062727.tif 000005
【図４】
2015062727.tif 000006
【図５】
2015062727.tif 000007
【図６】
2015062727.tif 000008
【図７】
2015062727.tif 000009
【図８】
2015062727.tif 000010
【図９】
2015062727.tif 000011
【図１０】
2015062727.tif 000012